(57)【特許請求の範囲】
【請求項１】
細長形状の発光体と、前記発光体を固定する本体と、筒状に形成され前記発光体を覆う透光性のカバーとを備え、前記発光体は、前記本体の一面に沿って固定される取付台と、前記取付台の表面に配置される複数個のＬＥＤとを備え、前記カバーは、軸線に沿う周壁と、軸線に沿う方向の両端にそれぞれ軸線と直交する端壁とを一体に備え、前記取付台は、前記カバーの軸線に沿って延長された主配置面と、前記カバーの軸線を含み前記本体の前記一面に直交する面内において前記主配置面の両端に位置するとともに前記主配置面に交差する方向に延長された副配置面とを備え、一部の前記ＬＥＤは前記主配置面に配置され、残りの前記ＬＥＤは前記副配置面に配置され、前記副配置面は、前記本体から離れるに従って前記カバーの前記端壁との距離を広げる向きに傾斜し、前記副配置面に配置された前記ＬＥＤが、前記カバーの前記端壁と前記周壁とに跨る領域に光を放射することを特徴とする照明器具。
【請求項２】
前記取付台の前記主配置面は、前記カバーの軸線に直交する断面において、前記本体から離れる向きに凸となるように配置された複数の傾斜配置面を備え、前記傾斜配置面それぞれに複数個ずつの前記ＬＥＤが配置されることを特徴とする請求項１記載の照明器具。
【発明の詳細な説明】
【技術分野】
【０００１】
本発明は、光を放射する発光体を筒状の外郭内に備えた照明器具に関する。
【背景技術】
【０００２】
従来より、直管形蛍光ランプを備える照明器具が提供されている（例えば、特許文献１参照）。特許文献１に記載された照明器具の蛍光ランプは、一対の口金が、外郭である円筒状ガラス管の端面ではなく、円筒状ガラス管の側面に設けられている。このように、特許文献１に記載された照明器具は、口金を円筒状ガラス管の側面部分に備えることにより、円筒状ガラス管の端面方向へも光を放射することが可能になっている。
【０００３】
一方、複数のＬＥＤ（発光ダイオード）を備える発光体を外郭である筒状のカバー内に配置した照明器具が提供されている。この種の照明器具１０として、図６に示すように、矩形箱状の本体２と、本体２に取り付けられ光を放射する板状の発光体３０と、円筒状に形成され発光体３０を覆う透光性のカバー４とを備えるものが提案されている。
【０００４】
発光体３０は、矩形板状の取付台３３と、取付台３３に配置される複数個の板状のＬＥＤ３２とにより構成される。ＬＥＤ３２は、取付台３３の厚み方向に交差する一面（配置面３３１）に、取付台３３の長手方向に沿って並べて配置されている。
【０００５】
取付台３３は、長手方向を本体２０の長手方向と合わせて、配置面３３１の反対面である固定面３３２を本体２の厚み方向に直交する一面である発光体取付面２１１に密着させて取り付けられている。
【０００６】
また、カバー４は、軸線に沿う周壁４１と、軸線に沿う方向において周壁４１の両端にそれぞれ設けた端壁４２とを一体に備える。端壁４２はカバー４の軸線に直交する。
【先行技術文献】
【特許文献】
【０００７】
【特許文献１】特開平９−１１５６２７号公報
【発明の概要】
【発明が解決しようとする課題】
【０００８】
図６に示した照明器具１０にあっては、ＬＥＤ３２は、一面を発光面として当該発光面の法線方向に指向性を有している。したがって、ＬＥＤ３２は、本体２の発光体取付面２１１と直交する方向に向って光を放射していることになる。そのため、この照明器具１０を用いた場合、カバー４の両端壁４２に向っては光があまり照射されない。また、端壁４２に向かう光であってもＬＥＤ３２や取付台３３に遮られ、両端壁４２には影が生じる。その結果、端壁４２は、周壁４１に比べて輝度が小さくなる。そのため、図７に示すように、照明器具１０をカバー４の端壁４２を当接させて設置した場合、周壁４１において端壁４２の付近が他の箇所に比べて輝度が小さくなる。すなわち、照明器具１０を複数台並べて設置した場合、照明器具１０はカバー４の端壁４２の方向へ光をほとんど放射しないため、カバー４の端壁４２の当接箇所付近（端壁４２の付近のカバー周壁４１）が他の箇所に比べて配光７２の範囲が狭くなっている。
【０００９】
本発明は、上記事由に鑑みて為されたものであって、複数個のＬＥＤを備えた発光体を備えカバーの周壁と端壁との輝度差を抑制した照明器具を提供することを目的とする。
【課題を解決するための手段】
【００１０】
本発明の照明器具は、細長形状の発光体と、発光体を固定する本体と、筒状に形成され発光体を覆う透光性のカバーとを備え、発光体は、本体の一面に沿って固定される取付台と、取付台の表面に配置される複数個のＬＥＤとを備え、カバーは、軸線に沿う周壁と、軸線に沿う方向の両端にそれぞれ軸線と直交する端壁とを一体に備え、取付台は、カバーの軸線に沿って延長された主配置面と、カバーの軸線を含み本体の前記一面に直交する面内において主配置面の両端に位置するとともに主配置面に交差する方向に延長された副配置面とを備え、一部のＬＥＤは主配置面に配置され、残りのＬＥＤは副配置面に配置され、前記副配置面は、前記本体から離れるに従って前記カバーの前記端壁との距離を広げる向きに傾斜し、前記副配置面に配置された前記ＬＥＤが、前記カバーの前記端壁と前記周壁とに跨る領域に光を放射することを特徴とする。
【００１２】
この照明器具において、取付台の主配置面は、カバーの軸線に直交する断面において、本体から離れる向きに凸となるように配置された複数の傾斜配置面を備え、傾斜配置面それぞれに複数個ずつのＬＥＤが配置されることがより望ましい。
【発明の効果】
【００１３】
本発明の構成によれば、カバーの周壁と端壁との輝度差を抑制することができるという利点がある。
【図面の簡単な説明】
【００１４】
【図１】実施形態１を示す一部破断した断面図である。
【図２】同上の一部省略した斜視図である。
【図３】同上の使用例における配光を示す図である。
【図４】同上の設置例を示す断面図である。
【図５】（ａ）（ｂ）はそれぞれ実施形態２の照明器具を示す要部断面図である。
【図６】従来例の照明器具の要部断面図である。
【図７】同上の使用例における配光を示す図である。
【発明を実施するための形態】
【００１５】
（実施形態１）
本実施形態の照明器具１は、図１および図２に示すように、四角筒状の本体２と、本体２の一面に沿って固定され可視光を放射する細長形状の発光体３と、発光体３を覆う透光性のカバー４とを備える。
【００１６】
図２に示すように、本体２は、本体２の軸線に沿う方向が他方向よりも長い本体ベース部２１と、軸線に直交する本体端壁２２とを備える。本体ベース部２１の一つの外側面には、発光体３が取り付けられる。以下では、本体ベース部２１において発光体３を取り付けた一面を発光体取付面２１１という。本体２において、発光体取付面２１１と対向する面は開口していてもよい。
【００１７】
発光体３は、矩形板状の取付台３１と、取付台３１の表面に配置される複数個のＬＥＤ３２とにより構成される。ＬＥＤ（発光ダイオード）３２は、取付台３１の長手方向に沿って並べて配置される。本実施形態で用いるＬＥＤ３２は、板状であって、厚み方向の一面を発光面とする。発光面の法線方向に指向性を有する。以下、ＬＥＤ３２の発光面をＬＥＤ３２の「正面」とする。
【００１８】
図２に示すように、カバー４は、円筒状に形成され、軸線に沿う周壁４１と、軸線の沿う方向の両端にそれぞれ軸線と直交する端壁４２とを一体に備える。本実施形態においては、拡散透過性を有しかつ内部が見えない乳白色のカバー４を用いる。
【００１９】
取付台３１は、図１に示すように、長手方向の両端部を除いて一定の厚みを有している。取付台３１において、厚み方向の一面は、本体ベース２１の発光体取付面２１１に密着して取り付けられる固定面３１２になる。また、取付部３１における厚み方向の他面は、長手方向の中間部に主配置面３１１を有し、長手方向の両端部に副配置面３１３を有する。副配置面３１３は、主配置面３１１から、固定面３１２に向かって取付台３１の長手方向へ広がる向きに傾斜する。
【００２０】
取付台３１の主配置面３１１には、複数個のＬＥＤ３２が背面を密着させて配置される。以下、主配置面３１１に配置されるＬＥＤ３２を「第１のＬＥＤ３２１」という。第１のＬＥＤ３２１は、正面が主配置面３１１に沿うことになる。取付台３１においては、複数個の第１のＬＥＤ３２１は、主配置面３１１に取付台３１の長手方向に間隔を空けて配置される（図１参照）。
【００２１】
また、副配置面３１３には、１個のＬＥＤ３２が背面を密着させて配置される。以下、副配置面３１３に配置されるＬＥＤ３２を「第２のＬＥＤ３２２」という。第２のＬＥＤ３２２の正面は、副配置面３１３に沿うことになる。
【００２２】
本体２に取付台３１を取り付けた状態では、第１のＬＥＤ３２１は、本体２の発光体取付面２１１に直交する方向（図１においては、上方向）に光を放射する。また、第２のＬＥＤ３２２は、第１のＬＥＤ３２１の正面に対して本体２の長手方向において外向きに光を放射する。すなわち、第２のＬＥＤ３２２は、カバー４の端壁４２と周壁４１とに跨る領域に光を放射する。これにより、本実施形態の照明器具１は、カバー４の端壁４２の輝度を高めることができる。
【００２３】
本実施形態においては、本体２の長手方向の長さとカバー４の軸線に沿う方向の長さとは略等しく、本体２の本体端壁２２とカバー４の端壁４２とは略面一になっている（図２参照）。そのため、図３に示すように、カバー４の端壁４２を当接させて照明器具１を複数台並べて設置することが可能である。
【００２４】
図３は、本実施形態の照明器具１の取付台３を含む断面であって、２個の照明器具１の端壁４２を互いに当接させて並べて設置したときに照明器具１から放射される光の光度分布（配光７１）を示している。本実施形態の照明器具１においては、第２のＬＥＤ３２２からの光により、カバー４の端壁４２の当接箇所付近（端壁４２の付近の周壁４１）とその他の箇所とにおいて配光７１の幅はほとんど変わらない。そのため、照明器具１を複数台並べて設置した場合であっても、ムラの少ない配光７１を得ることが可能となる。このような照明器具１をカバー４の端壁４２を当接させて複数台並べて廊下の天井面などに設置した場合、光の切れ目のない連続した照明が可能である。また、部屋などのある縁に沿って照明器具１を複数台並べて設置し、切れ目なく全体を光らせることが可能である。
【００２５】
なお、本実施形態において副配置面３１３に第２のＬＥＤ３２２をは１個ずつ配置しているが、第２のＬＥＤ３２２の光出力や指向性、副配置面３１３の長さや傾きなどに応じて、複数個の第２のＬＥＤ３２２を配置してもよい。
【００２６】
また、カバー４の軸線に沿う方向の長さは、照明器具１を並べて設置できればよく、本体２よりもカバー４が長くてもよい。カバー４は、拡散透過性を有するものに限らず、透光性を有していれば、透明や色付きのものでもよく、プリズムを形成したものでもよい。また、第１のＬＥＤ３２１は、発光体取付面２１１の反対方向に均一な光を放射することができれば、図１のように取付台３１の長手方向に等間隔にしなくてもよく、どのような配置であってもよい。
（実施形態２）
実施形態１の照明器具１は、複数個の第１のＬＥＤ３２１が、本体２の発光体取付面２１１に直交する方向に正面を向けて配置されている。つまり、全ての第１のＬＥＤ３２１の正面が、取付台３１の長手方向と直交する断面において一方向を向いている。本実施形態の照明器具１は、第１のＬＥＤ３２１の正面が、取付台３１の長手方向と直交する断面において複数の方向を向くように配置される点が、実施形態１と相違する。以下、取付台３１の長手方向と直交する断面を「照明器具１の断面」とする。
【００２７】
ＬＥＤ３２（第１のＬＥＤ３２１および第２のＬＥＤ３２２）は、正面の法線方向に向かって光を放射する。そのため、第１のＬＥＤ３２１が正面を同じ方向に向けて配置された場合、照明器具１の断面において、照明器具１の１／２ビーム角は１８０°以下になる。ここでいう、照明器具１の１／２ビーム角とは、当該断面の配光曲線において、照明器具１の位置を中心として、最大の光度の半分になる範囲が、中心に対して広がっている角度をいう。つまり、１／２ビーム角が１２０°の場合、中心より１２０°開いた範囲までは中心の半分の光度とすることが可能であることを示す。
【００２８】
複数個の第１のＬＥＤ３２１を本体２の発光体取付面２１１に直交する方向に正面を向けて取付台３１の長手方向に配置した照明器具１においては、本体２の反対方向へ光が放射され、本体２の方向へはほとんど光は放射されない。このような照明装置１を天井面５や一面が開口したケース６の内部に設置した場合、天井面５やケース６の内部の方向にほとんど放射されないため、その設置箇所付近（天井面５やケース６の内部）に暗がりが生じる（図４参照）。
【００２９】
本実施形態の照明器具１は、照明器具１の断面において第１のＬＥＤ３２１の正面が複数の方向を向くように、第１のＬＥＤ３２１を配置する。これにより、照明器具１の１／２ビーム角を１８０°以上にして、照明器具１の設置箇所付近に暗がりが生じることを抑制する。
【００３０】
図５（ａ）に示すように、本実施形態の主配置面３１５の両長手辺からは取付台３１の幅方向に広がりながら固定面３１２との距離を狭める方向に延びる面である第１の傾斜配置面３１６および第２の傾斜配置面３１７が形成される。つまり、照明器具１の断面において、主配置面３１５、第１の傾斜配置面３１６および第２の傾斜配置面３１７は本体２から離れる向きに凸になる（図５（ａ）参照）。
【００３１】
複数個の第１のＬＥＤ３２１が、取付台３１の主配置面３１５、第１の傾斜配置面３１６、および第２の傾斜配置面３１７に、取付台３１の長手方向に沿ってそれぞれ配置される。第１の傾斜配置面３１６および第２の傾斜配置面３１７に配置された第１のＬＥＤ３２１の正面は、主配置面３１５の正面に対して取付台３１の幅方向（図５（ａ）において左右方向）に広がる向きにそれぞれ傾いている。そのため、照明器具１の断面において、第１のＬＥＤ３２１は３方向を中心として光を放射する。これにより、照明器具１の１／２ビーム角を１８０°以上にすることが可能となる。
【００３２】
照明器具１の１／２ビーム角を１８０°以上にするには、取付台３１の主配置面３１５のない形状であってもよい。この場合、取付台３１の幅方向の中央から互いに離れながら固定面３１２に近づく向きに延びる２つの面である第１の傾斜配置面３１８および第２の傾斜配置面３１９が形成される。つまり、照明器具１の断面において、第１の傾斜配置面３１８および第２の傾斜配置面３１９は、本体２から離れる向きに凸になる（図５（ｂ）参照）。
【００３３】
取付台３１の第１の傾斜配置面３１８および第２の傾斜配置面３１９には、複数個の第１のＬＥＤ３２１が取付台３１の長手方向に沿ってそれぞれ配置される。取付台３１の長手方向と直交する断面において、第１のＬＥＤ３２１の正面は、固定面３１２に直交する方向を中心として対象な方向を向いている。これにより、照明器具１の断面において、第１のＬＥＤ３２１は２方向を中心として光を放射し、照明器具１の１／２ビーム角を１８０°以上にすることが可能となる。
【００３４】
上記のように、照明器具１の断面において、照明器具１の１／２ビーム角を１８０°以上にすることにより、照明器具１を設置した天井面５やケース６の内部に暗がりが生じることを抑制できる（図４参照）。
【００３５】
その他の構成および機能は実施形態１と同様である。
【符号の説明】
【００３６】
１  照明器具
２  本体
３  発光体
３１  取付台
３１１  主配置面
３１３  副配置面
３２  ＬＥＤ
４  カバー
４１  周壁
４２  端壁
【図１】
0005740568.tif 000002
【図２】
0005740568.tif 000003
【図３】
0005740568.tif 000004
【図４】
0005740568.tif 000005
【図５】
0005740568.tif 000006
【図６】
0005740568.tif 000007
【図７】
0005740568.tif 000008